(57)【要約】【課題】  本発明は、低電力で長時間にわたり冷風を供給することが可能となり、小型で掃除等の手入れも簡略化できる冷風装置を提供することを目的とする。【解決手段】  本発明は、冷媒容器と、多孔質部材と、送風装置とを備え、冷媒容器の一部が、送風装置によって送風された風を通過させるための通過孔を形成し、通過孔が、冷媒容器の容器内を貫通するように形成され、多孔質部材が、冷媒容器の外面の少なくとも一部に設置された、冷風装置に関する。本発明は、さらに、多孔質部材が、冷媒容器の外側面および／または外底面を略被覆するように設置された、冷風装置であることが好ましい。【選択図】図２
2016217674.tif 000002
【特許請求の範囲】
【請求項１】
冷媒容器と、多孔質部材と、送風装置とを備え、
冷媒容器の一部が、送風装置によって送風された風を通過させるための通過孔を形成し、
通過孔が、冷媒容器の容器内を貫通するように形成され、
多孔質部材が、冷媒容器の外面の少なくとも一部に設置された、冷風装置。
【請求項２】
多孔質部材が、冷媒容器の外側面および／または外底面を略被覆するように設置された、請求項１に記載の冷風装置。
【請求項３】
多孔質部材が、素焼き物によって構成された、請求項１または２に記載の冷風装置。
【請求項４】
通過孔の孔内に冷却フィンを備える、請求項１〜３のいずれかに記載の冷風装置。
【請求項５】
通過孔が、冷媒容器の底面側から冷媒容器の上面側にかけて冷媒容器の底面を貫通するように形成され、冷媒容器の底面側に、通過孔に向けて開口した送風室を有し、送風室が送風装置を内包する、請求項１〜４のいずれかに記載の冷風装置。
【請求項６】
通過孔の形状が、送風方向に窄んでいく略円錐台形である、請求項１〜５のいずれかに記載の冷風装置。
【請求項７】
通過孔の出口近傍に、通過孔から出てきた冷風の風向を調節するための風向調節部材を有する、請求項１〜６のいずれかに記載の冷風装置。
【請求項８】
風向調節部材が、冷風装置に被せる蓋部材であり、蓋部材が、冷風を排出するための排出口を有する、請求項７に記載の冷風装置。
【請求項９】
請求項１〜８のいずれかに記載の冷風装置を用いて、冷風を供給する冷風供給方法。
【発明の詳細な説明】
【技術分野】
【０００１】
本発明は、冷風装置および冷風装置を用いた冷風供給方法に関する。
【背景技術】
【０００２】
近年、震災等の影響から、電力の使用を可能な限り抑える取り組みが盛んになっている。例えば、家庭内における電力の使用を可能な限り抑えるためには、家庭内における電力需要で大きな割合を占めるエアコンの使用を可能な限り控える方法が挙げられる。
【０００３】
しかし、夏場が高温多湿な環境となりやすい日本において、エアコンの使用を完全にやめてしまうことは、生活上困難であり、エアコンよりも消費電力の小さい方法で、冷風を供給する手段が求められている。
【０００４】
エアコンよりも消費電力の小さい方法で冷風を供給する手段としては、例えば、気化熱等を利用して冷却した空気を送風装置によって送風する冷風装置などが知られている（例えば、特許文献１または特許文献２参照）。
【０００５】
上記のような従来の冷風装置においては、セラミック素材等の多孔質部材に吸収させた水を気化させることにより、空気を冷やす構成のものとなっている。
【０００６】
しかし、このような構成の冷風装置は、多孔質部材に吸収させた水が気化して失われてしまうため、定期的に水を供給する必要があるという問題があった。また、定期的な水の供給を避けるために、貯水容器を大型化すると、冷風装置自体も大型化してしまうという問題もあった。
【０００７】
加えて、水を吸収するための多孔質部材は、冷風装置の内部に設けられることが多いため、多孔質部材にカビ等が発生しやすく、カビの発生に伴って、冷風に異臭がするようになってしまうという問題もあった。また、冷風装置の内部に設けられた多孔質部材は、取り外したり洗浄したりすることが困難であることが多く、カビを除去したりするための清掃が困難であることという問題もあった。
【先行技術文献】
【特許文献】
【０００８】
【特許文献１】特開２０１２−２２５５５１号公報
【特許文献１】特開２０１２−２４７１７０号公報
【発明の概要】
【発明が解決しようとする課題】
【０００９】
上記のような問題を解決するため、本発明は、低電力で長時間にわたり冷風を供給することが可能となり、小型で掃除等の手入れも簡略化できる冷風装置を提供することを目的とする。
【課題を解決するための手段】
【００１０】
本発明は、冷媒容器と、多孔質部材と、送風装置とを備え、冷媒容器の一部が、送風装置によって送風された風を通過させるための通過孔を形成し、通過孔が、冷媒容器の容器内を貫通するように形成され、多孔質部材が、冷媒容器の外面の少なくとも一部に設置された、冷風装置に関する。
【００１１】
本発明は、さらに、多孔質部材が、冷媒容器の外側面および／または外底面を略被覆するように設置された、冷風装置であることが好ましい。
【００１２】
本発明は、さらに、多孔質部材が、素焼き物によって構成された、冷風装置であることが好ましい。
【００１３】
本発明は、さらに、通過孔の孔内に冷却フィンを備える、冷風装置であることが好ましい。
【００１４】
本発明は、さらに、通過孔が、冷媒容器の底面側から冷媒容器の上面側にかけて冷媒容器の底面を貫通するように形成され、冷媒容器の底面側に、通過孔に向けて開口した送風室を有し、送風室が送風装置を内包する、冷風装置であることが好ましい。
【００１５】
本発明は、さらに、通過孔の形状が、送風方向に窄んでいく略円錐台形である、冷風装置であることが好ましい。
【００１６】
本発明は、さらに、通過孔の出口近傍に、通過孔から出てきた冷風の風向を調節するための風向調節部材を有する、冷風装置であることが好ましい。
【００１７】
本発明は、さらに、風向調節部材が、冷風装置に被せる蓋部材であり、蓋部材が、冷風を排出するための排出口を有する、冷風装置であることが好ましい。
【００１８】
本発明は、上記の冷風装置を用いて、冷風を供給する冷風供給方法に関する。
【発明の効果】
【００１９】
本発明の冷風装置により、低電力で長時間にわたり冷風を供給することが可能となり、小型で掃除等の手入れも簡略化することができる。
【図面の簡単な説明】
【００２０】
【図１】本発明の冷風装置の一例を示す模式的な構成図である。
【図２】本発明の冷風装置を用いた冷風供給方法の一例を示す模式的な構成図である。
【図３】本発明の冷風装置に用いる回路図の模式的な構成図である。
【発明を実施するための形態】
【００２１】
以下、本発明の冷風装置について、図面を用いて説明するが、本発明はこれに限定されない。
【００２２】
図１に本発明の冷風装置の一例を示す模式的な構成図を示す。図１に記載の冷風装置１０は、冷媒容器１１と、多孔質部材１２と、送風装置１３とを備え、冷媒容器１１の一部が、送風装置１３によって送風された風を通過させるための通過孔１４を形成し、通過孔１４が、冷媒容器１１の容器内を貫通するように形成され、多孔質部材１２が、冷媒容器１１の外面の少なくとも一部に設置された構成である。
【００２３】
上記のような構成とすることにより、低電力で長時間にわたり冷風を供給することが可能となり、掃除等の手入れも簡略化できる冷風装置を構成することができる。
【００２４】
冷風が供給されるメカニズムは以下のとおりである。まず、冷媒容器１１に水等の冷媒を入れることにより、冷媒容器１１と外気との間に温度差が生じる。冷媒容器１１と外気との間に温度差が生じているとき、冷風装置１０を用いる場所が、極端に乾燥している等の特段の条件下にない限り、冷媒容器１１の外面には結露によって結露水の水滴が付着する。
【００２５】
冷媒容器１１の外面に結露によって生じた結露水は、多孔質部材１２における冷媒容器１１との接触面から、多孔質部材１２の内部に吸収される。多孔質部材１２に吸収された水分は、その表面積が多孔質部材１２の内部において増加するため、外気に触れやすくなり、気化しやすくなる。水分が気化する際に、冷媒容器１１が気化熱によって冷やされるため、冷媒容器１１の中の冷媒が冷やされる。
【００２６】
一般的に、結露水が生じる際には、結露水が生じる際の凝縮熱によって冷媒容器１１が温められてしまうため、冷媒容器１１の中の冷媒も温められることになる。
【００２７】
そのため、冷媒容器１１の外面に多孔質部材１２を設けない場合は、結露水が気化しにくくなるため、冷媒容器１１の中の冷媒は冷やされにくくなり、冷媒の機能が失われやすくなる。
【００２８】
一方、冷媒容器１１の外面に多孔質部材１２を設けた場合は、結露水が気化しやすくなるため、冷媒容器１１の中の冷媒が冷やされやすくなり、冷媒の機能が失われにくくなる。
【００２９】
このため、冷媒容器１１の外面に多孔質部材１２を設ける構成とすることにより、通常より長い時間、冷媒容器１１の中の冷媒が外気より低い温度を保つことができるようになるため、長時間にわたり冷風を供給することが可能となる。
【００３０】
本実施形態における冷風装置１０は、冷媒容器１１と、多孔質部材１２と、送風装置１３の他に、送風室１７、冷却フィン２１、固定用ボルト２２、台座２３、ゴム足２４、蓋部材３２を有する構造となっている。以下、それぞれの構成要素について説明する。
【００３１】
冷媒容器１１を構成する材質は、熱伝導性の高い材質であれば、特に限定されないが、例えば、アルミニウム、亜鉛、銅、銀、またはこれらの合金などの金属が挙げられる。
【００３２】
冷媒容器１１の厚さは、特に限定されないが、０．５〜５．０ｍｍであることが好ましい。冷媒容器１１の厚さが、０．５ｍｍ未満であると、通過孔１４の強度が低下する傾向にある。５．０ｍｍを超えると、結露水が生じにくくなったり、冷媒が冷やされにくくなったりする傾向にある。
【００３３】
冷媒容器１１に入れる冷媒は、外気温より低い温度の媒体であれば、特に限定されないが、例えば、水、氷水、または氷などが挙げられる。
【００３４】
多孔質部材１２を構成する材質は、冷媒容器１１の外面に付着した結露を蒸発させることに適した構造を有するものであれば、特に限定されないが、例えば、素焼き物、活性炭、セラミックス、陶器、軽石、またはスポンジなどが挙げられる。
【００３５】
中でも、多孔質部材１２が、素焼き物によって構成されていると、冷媒容器１１の外面に付着した結露を蒸発させやすく、掃除等の手入れも簡便となるため、より好ましい。
【００３６】
多孔質部材１２を冷媒容器１１に設置する位置は、特に限定されないが、多孔質部材１２を設ける面積が大きくなるほど、結露水が気化しやすくなり、冷媒が冷やされやすくなる傾向にある。以上のような観点から、多孔質部材１２は、冷媒容器１１の外側面および／または外底面を略被覆するように設置することが好ましい。
【００３７】
また、多孔質部材１２を冷媒容器１１の外底面を略被覆するように設置すると、冷媒容器１１の外底面に生じた結露水が、送風装置１３や送風室１７などに垂れてしまうことを防止できる傾向にある。
【００３８】
送風装置１３の種類は、小型かつ低電力で送風機能を発揮し得るものであれば、特に限定されない。送風装置１３は、電池等で駆動されるものであってもよいが、電池等の発熱によって、冷風の温度が上がってしまうことを避ける等の観点からは、外付けのＡＣ／ＤＣアダプタ３１から電力を供給する構成とすることが好ましい。
【００３９】
通過孔１４は、冷媒容器１１の冷媒を入れる空間中に、冷媒容器１１の一部で略筒状の構造を形成することによって、冷媒容器１１の容器内を貫通するように形成することができる。
【００４０】
通過孔１４の形状は、送風装置１３の送風した風を冷却するために、十分な表面積を有するものであれば、特に限定されない。したがって、略直線状の通過孔であってもよいし、略曲線状の通過孔であってもよい。また、通過孔１４の断面形状も、特に限定されない。
【００４１】
本実施形態における通過孔１４の形状は、送風方向に窄んだ形状、すなわち、通過孔の入口１５から通過孔の出口１６にかけて窄んだ略円錐台形となっている。通過孔１４の形状が、送風方向に窄んだ略円錐台形となっていると、通過孔１４の側面付近を通過しようとする風の進路が曲がりやすくなる。そのため、通過孔１４の孔内において対流が生じやすくなり、通過孔１４の中心付近を通過しようとする風も冷却されやすくなるため、送風された風の冷却効率が高くなる傾向にある。
【００４２】
通過孔１４内の表面積は、特に限定されないが、通過孔１４内の表面積が大きくなるほど、送風される風を冷やしやすくなる傾向にある。また、通過孔１４内の容積は、特に限定されないが、通過孔１４内の容積が大きくなりすぎると、送風される風を冷やしにくくなる傾向にある。
【００４３】
通過孔１４の内部に冷却フィン２１を設けると、冷媒容器１１の冷気が冷却フィン２１にも伝わる。そのため、通過孔１４の孔内において、風を冷却可能な面積が増加するため、通過孔１４の孔内において風が冷却されやすくなる傾向にある。冷却フィン２１の材質は、熱伝導率の高い材質であれば特に限定されず、冷媒容器１１と同じ材質であってもよいし、異なる材質であってもよい。
【００４４】
冷媒容器１１の一部によって形成された通過孔１４は、どのような態様で形成されていてもよいが、冷媒容器１１の底面側から冷媒容器１１の上面側にかけて冷媒容器１１の底面を貫通するように形成され、冷媒容器１１の底面側に、通過孔１４に向けて開口した送風室１７を有し、送風室１７が送風装置１３を内包する構成とすることが好ましい。
【００４５】
上記のような構成において、送風室１７は、冷媒容器１１の外底面または冷媒容器１１の外底面に設けられた多孔質部材１２と、台座２３によって囲まれた空間として形成される。
【００４６】
上記のような構成とすることにより、送風装置１３によって送風された風が、送風室１７の外などに散逸されることなく通過孔１４の孔内を通過できるとともに、冷風装置１０の重心の位置が好適化され、冷媒容器１１に冷媒を出し入れしやすくなる傾向にある。
【００４７】
なお、送風室１７は、送風する風を吸気するための吸気部を送風装置１３の近傍に有し、通過孔１４に向けて風を送風するために、通過孔１４の入口１５に向けて開口している。また、外付けのＡＣ／ＤＣアダプタ３１を用いる場合、送風室１７は、ＡＣ／ＤＣアダプタ３１と送風装置１３を結ぶコードを挿通するためのコード挿通孔を有している。
【００４８】
台座２３と冷媒容器１１とは、固定用ボルト２２によって固定されている。固定用ボルト２２の軸部の先端が、台座２３と螺合しており、固定用ボルト２２の頭部が、冷媒容器１１に設けられた通過孔１４の出口１６に掛止されている。
【００４９】
なお、固定用ボルト２２の頭部は、通過孔１４の出口１６を完全に塞がないような態様で掛止されている。そのような構造は、例えば、通過孔１４の出口１６を固定用ボルト２２の軸部が貫通し得る程度の網目を有した網目構造としたり、通過孔１４の出口１６に固定用ボルト２２の頭部を掛止し得る被掛止部を有する構造としたりすること等によって実現できる。
【００５０】
固定用ボルト２２を着脱可能な態様とすることにより、冷媒容器１１と、多孔質部材１２と、台座２３を分離することができる。冷媒容器１１と、多孔質部材１２と、台座２３を分離することができる態様とすることにより、掃除等の手入れをより行いやすくなり、カビ等の発生を未然に防いだり、カビ等が発生しても容易に除去したりしやすくなる。
【００５１】
台座２３の下部には、ゴム足２４が設けられている。ゴム足２４が設けられていることにより、送風装置１３の振動等が冷風装置１０の設置面に伝わりにくくなり、防音性が向上される傾向にある。また、冷風装置１０の設置面からの熱が、送風室１７に伝わりにくくなり、風の冷却効果が損なわれにくくなる傾向にある。
【００５２】
本実施形態において、冷風装置１０は、蓋部材３２を備えている。蓋部材３２を備えることにより、冷媒容器１１の中の冷媒がこぼれたり、蒸発したりすることを防止することができる。また、冷媒容器１１の中の冷媒の冷気を保つ観点からは、蓋部材３２を断熱材で構成することが好ましい。
【００５３】
本実施形態において、蓋部材３２は、冷風装置１０に被せたときに通過孔１４の出口１６の近傍となる位置に、冷風の風向を調節するための風向調節部材３３と、冷風を排出するための排出口３４とを有している。
【００５４】
本実施形態においては、蓋部材３２の凸部の側面部に冷風を排出するための排出口３４を設けることにより、蓋部材３２の凸部の上面部が冷風の風向を調節するための風向調節部材３３として機能している。
【００５５】
蓋部材３２が上記のような構成であれば、蓋部材３２を水平方向に適宜回転させることにより、冷風の風向を適宜調節することができる。蓋部材３２の縁の形状を冷風装置１０の上部の形状に合わせる場合は、蓋部材３２の縁の形状および冷風装置１０の上部の形状がともに略円形状であると、冷風の風向を３６０度自由に調節することができる上、水がこぼれにくくなる。
【００５６】
本発明の冷風装置を用いて冷風を供給する冷風供給方法について、図２を用いて説明する。図２に示すように、送風装置１３の送風動作によって、台座２３に設けられた吸気部から、送風室１７の内部に空気が吸気される。吸気された空気は、送風室１７から、冷媒容器１１の一部によって形成された通過孔１４の入口１５を通って、通過孔１４の孔内を通過する。通過孔１４の孔内を通過する風は、冷媒容器１１と冷却フィン２１の冷気で冷やされて冷風となる。冷風は、通過孔１４の出口１６から排気され、蓋部材３２の凸部の上面部が形成する風光調節部材３３に当たって風向を調整され、蓋部材３２に設けられた排出口３４から排出される。以上のような方法によって、冷風装置１０は冷風を供給する。
【００５７】
本発明の冷風装置に用いる送風装置１３等の回路図を図３に示す。本発明の冷風装置に用いる送風装置１３等の回路は、ＡＣ／ＤＣアダプタ４１、マイクロＵＳＢコネクタ４２、マイクロＵＳＢコネクタ用アース４３、スイッチ４４、ヒューズ４５、ＤＣファン４６、およびＤＣファン用アース４７によって構成されている。
【００５８】
ＡＣ／ＤＣアダプタ４１はマイクロＵＳＢコネクタ４２に接続され、マイクロＵＳＢコネクタ４２は、スイッチ４４に接続されている。スイッチ４４は、ヒューズ４５に接続されており、ヒューズ４５はＤＣファン４６に接続されている。
【００５９】
マイクロＵＳＢコネクタ４２には、マイクロＵＳＢコネクタ用アース４３が接続されており、ＤＣファン４６には、ＤＣファン用アース４７が接続されている。このようにアース線を設けることにより、電気が漏電しても感電を防止できるような構成となっている。また、ＤＣファン４６の前にヒューズ４５を設けることにより、加熱や発火等の事故を防止できるような構成となっている。
【００６０】
スイッチ４４によって、ＤＣファン４６のオンオフを切り替えることができる。なお、回路図においては図示していないが、タイマー機能等を付加することにより、一定時間後にＤＣファン４６をオフにしたり、ある設定時刻においてＤＣファン４６をオンにしたりする構成とすることもできる。
【符号の説明】
【００６１】
１０    冷風装置
１１    冷媒容器
１２    多孔質部材
１３    送風装置
１４    通過孔
１５    入口
１６    出口
１７    送風室
２１    冷却フィン
２２    固定用ボルト
２３    台座
２４    ゴム足
３１    ＡＣ／ＤＣアダプタ
３２    蓋部材
３３    風向調節部材
３４    排出口
４１    ＡＣ／ＤＣアダプタ
４２    マイクロＵＳＢコネクタ
４３    マイクロＵＳＢコネクタ用アース
４４    スイッチ
４５    ヒューズ
４６    ＤＣファン
４７    ＤＣファン用アース
【図１】
2016217674.tif 000003
【図２】
2016217674.tif 000004
【図３】
2016217674.tif 000005